(57)【要約】      （修正有）【課題】意図しない治療電流が流れることを防止し、想定外の複数の被施療者の使用を未然に防止して安全性の高い低周波治療器を提供する。【解決手段】組パッド８間で導通確認し、同一組パッド８のパッド８１間で導通している組パッド８が複数あり、当該同一組パッド８のパッド８１間で導通している組パッド８間で導通が確認されないとき、治療を行わないので、すなわち、複数の組パッド８を有し同一組パッド８のパッド８１間で導通している組パッド８が複数ありということは患部に貼着されている組パッド８が複数あるということであり、さらに、これらの同一組パッド８のパッド８１間で導通している組パッド８間で導通が確認されないということは全ての組パッド８が１人の被施療者に貼着されていないということであり、複数の被施療者が使用している可能性があるということが判断できる。【選択図】  図９
2005065745.tif 000002
【特許請求の範囲】
【請求項１】
患部に対応して当接される複数のパッドからなる組パッドを複数有し、当該複数の組パッドに治療用信号を生成する治療用信号生成部を備える低周波治療器において、
前記組パッド間で導通確認し、
同一組パッドのパッド間で導通している組パッドが複数あり、当該同一組パッドのパッド間で導通している組パッド間で導通が確認されないとき、治療を行わないことを
特徴とする低周波治療器。
【請求項２】
患部に対応して当接される複数のパッドからなる組パッドを複数有し、当該複数の組パッドに治療用信号を生成する治療用信号生成部を備える低周波治療器において、
前記組パッド間で導通確認し、
同一組パッドのパッド間で導通している組パッドが複数あり、当該同一組パッドのパッド間で導通している組パッド間で導通が確認されないとき、治療を停止し、
治療を停止した後、前記導通が確認されなかった組パッド間で導通が確認されたとき、治療を開始若しくは再開することを
特徴とする低周波治療器。
【請求項３】
前記請求項２に記載の低周波治療器において、
治療を停止したときから再び治療ができるようになるときまでの時間が所定期間より長いとき治療を開始し、
治療を停止したときから再び治療ができるようになるときまでの時間が所定期間より短いとき治療を再開することを
特徴とする低周波治療器。
【請求項４】
前記請求項１ないし３に記載の低周波治療器において、
前記同一組パッドのパッド間で導通している組パッドが複数あり、当該同一組パッドのパッド間で導通している組パッド間で導通が確認されないとき、表示及び／又は音により複数被施療者の使用だと判断したことを通知する、又は、１人のみの被施療者の使用をするべきだと通知することを
特徴とする低周波治療器。
【請求項５】
前記請求項４に記載の低周波治療器において、
前記表示及び／又は音により複数被施療者の使用だと判断したことを通知した後、又は、１人のみの被施療者の使用をするべきだと通知した後、所定期間を置いて治療を行わないことを
特徴とする低周波治療器。
【請求項６】
前記請求項１ないし５に記載の低周波治療器において、
前記同一組パッドのパッド間で導通している組パッドが複数あり、当該同一組パッドのパッド間で導通している組パッド間で導通が確認されないときに、前記組パッド間で導通し合える複数の組パッドからなる組パッド群が複数ある場合に、一の組パッド群のみの組パッドで治療を行い、それ以外の組パッドで治療を行わないことを
特徴とする低周波治療器。
【請求項７】
前記請求項１ないし５に記載の低周波治療器において、
前記同一組パッドのパッド間で導通している組パッドが複数あり、当該同一組パッドのパッド間で導通している組パッド間で導通が確認されないとき、１つの組パッドのみで治療を行い、それ以外の組パッドで治療を行わないことを
特徴とする低周波治療器。
【請求項８】
前記請求項６又は７に記載の低周波治療器において、
前記治療を行う組パッドが、同一組パッドのパッド間で最先に導通した組パッドであることを
特徴とする低周波治療器。
【発明の詳細な説明】
【０００１】
【発明の属する技術分野】
本発明は、患部に対応して当接される複数のパッドからなる組パッドを複数有し、当該複数の組パッドに治療用信号を生成する治療用信号生成部を備える低周波治療器に関し、特に、複数の被施療者の使用の場合に治療を停止する低周波治療器に関する。
【０００２】
【従来の技術】
従来の低周波治療器としては、特開平１１−２０６８９１号公報に開示されるものがあり、以下図１４に基づいて説明する。この従来の低周波治療器は、マイコン１０１を電源とした１次側回路１０２の低周波または干渉波電圧を絶縁トランス１０４により所要の電圧に昇圧し、２次側回路１０３に接続した４つの導子１０５を介して患部に電圧を印加し、患部に接触させる導子１０５の接触状態を電圧の変動により判定する検知手段を１次側回路に設けて成る構成である。特に、導子１０５は２つ１組となって、一方が＋の導子１０５、他方が−の導子１０５となって患部に電圧を印加しており、この従来の低周波治療器においては、２組合計４つの導子１０５からなる。このように従来の低周波治療器によれば、患部に接触させる導子１０５の接触状態を電圧の変動により判定する検知手段を、１次側回路１０２に設けることにより、低周波または干渉波電流に対応して接触状態を検知をすることが可能となる。
【０００３】
【特許物件１】特開平１１−２０６８９１号公報
【０００４】
【発明が解決しようとする課題】
従来の低周波治療器は以上のように構成されているため、パッドの外れを正確に検出することができ、複数組の導子からなっており干渉波を生じさせたり、スクランブル通電させたり、多様な治療が可能となるが、複数組の導子からなっているために、複数の被施療者で使用される可能性があり、意図しない治療電流が流れる虞があるという課題を有する。また、一人で使用しているのかそれとも複数人で使用しているかを判断することができず、設計者は一人の被施療者が使用するという想定で低周波治療器を設計しており、想定外の使用となり使用時の想定しない事故を誘発するという課題を有する。例えば、二人の使用者がそれぞれ組パッドを１つずつ使用していた場合に、二人の体が接触することで過大な電流が流れる可能性がある。
【０００５】
本発明は前記課題を解決するためになされたものであり、意図しない治療電流が流れることを防止し、想定外の複数の被施療者の使用を未然に防止して安全性の高い低周波治療器を提供することを目的とする。
【０００６】
【課題を解決するための手段】
本発明に係る低周波治療器は、患部に対応して当接される複数のパッドからなる組パッドを複数有し、当該複数の組パッドに治療用信号を生成する治療用信号生成部を備える低周波治療器において、前記組パッド間で導通確認し、同一組パッドのパッド間で導通している組パッドが複数あり、当該同一組パッドのパッド間で導通している組パッド間で導通が確認されないとき、治療を行わないものである。このように本発明においては、前記組パッド間で導通確認し、同一組パッドのパッド間で導通している組パッドが複数あり、当該同一組パッドのパッド間で導通している組パッド間で導通が確認されないとき、治療を行わないので、すなわち、複数の組パッドを有し同一組パッドのパッド間で導通している組パッドが複数ありということは患部に貼着されている組パッドが複数あるということであり、さらに、これらの同一組パッドのパッド間で導通している組パッド間で導通が確認されないということは全ての組パッドが１人の被施療者に貼着されていないということであり、複数の被施療者が使用している可能性があるということが判断でき、この場合に動作しないことにより意図しない治療電流が流れることを防止し、安全性を確保することができる。
【０００７】
また、本発明に係る低周波治療器は、患部に対応して当接される複数のパッドからなる組パッドを複数有し、当該複数の組パッドに治療用信号を生成する治療用信号生成部を備える低周波治療器において、前記組パッド間で導通確認し、同一組パッドのパッド間で導通している組パッドが複数あり、当該同一組パッドのパッド間で導通している組パッド間で導通が確認されないとき、治療を停止し、治療を停止した後、前記導通が確認されなかった組パッド間で導通が確認されたとき、治療を開始若しくは再開するものである。このように本発明においては、前記組パッド間で導通確認し、同一組パッドのパッド間で導通している組パッドが複数あり、当該同一組パッドのパッド間で導通している組パッド間で導通が確認されないとき、治療を停止し、治療を停止した後、前記導通が確認されなかった組パッド間で導通が確認されたとき、治療を開始若しくは再開しているので、治療中に同一組パッドのパッド間で導通している組パッドを全て１人の被施療者だけに貼着していないとき治療を停止し、治療が停止された治療中の工程を記録し、１人の被施療者のみが同一組パッドのパッド間で導通している組パッドを全てを使用されることとなったとき、前記治療が停止された治療中の工程を読み出し、治療が停止された治療中の工程から治療を開始することができ、複数の被施療者による使用等の不適切な使用をするとすぐに検出し治療を停止し、適切な使用となると治療を再開し、再び、始めから治療を受ける必要がない。また、前記同一組パッドのパッド間で導通している組パッド間で導通が確認されないとき、治療を停止し、治療を停止した後、前記導通が確認されなかった組パッド間で導通が確認されたとき、治療を開始するとすることもでき、治療を停止して長時間経過している場合には、停止前までの治療の効果が弱まり、治療を最初から行った方が停止していた治療の効果を十分に得ることができる。
【０００８】
また、本発明に係る低周波治療器は必要に応じて、治療を停止したときから再び治療ができるようになるときまでの時間が所定期間より長いとき治療を開始し、治療を停止したときから再び治療ができるようになるときまでの時間が所定期間より短いとき治療を再開するものである。このように本発明においては、前記同一組パッドのパッド間で導通している組パッド間で導通が確認されないとき、治療を停止し、治療を停止した後、前記導通が確認されなかった組パッド間で導通が確認されたとき、治療を停止したときから再び治療ができるようになるときまでの時間が所定期間より長いとき治療を開始し、治療を停止したときから再び治療ができるようになるときまでの時間が所定期間より短いとき治療を再開するので、所定時間より治療の停止時間が長くなると治療を始めから開始し、所定時間より治療の停止時間が短くなると治療を停止されたところから再開するという構成が実現でき、治療の停止時間により治療の開始か再開かを決定し、停止時間が長時間に渡るときはその後停止されたところから再開しても治療の効果が十分に得ることが出来ず始めから治療を開始することで治療の効果を十分に得ることができ、一方で、停止時間が短い時間であればその後停止されたところから再開しても治療の効果を十分に得ることができ、再び、始めから治療を開始することは逆に治療の効果が過剰となって宜しくなく、こういった過剰な効果を防止することもできる。
【０００９】
また、本発明に係る低周波治療器は必要に応じて、前記同一組パッドのパッド間で導通している組パッドが複数あり、当該同一組パッドのパッド間で導通している組パッド間で導通が確認されないとき、表示及び／又は音により複数被施療者の使用だと判断したことを通知する、又は、１人のみの被施療者の使用をするべきだと通知するものである。このように本発明においては、前記同一組パッドのパッド間で導通している組パッドが複数あり、当該同一組パッドのパッド間で導通している組パッド間で導通が確認されないとき、表示及び／又は音により複数の被施療者の使用だと判断したことを通知し、又は、１人のみの被施療者の使用をするべきだと通知しているので、同一組パッドのパッド間で導通している組パッド間で導通が確認されないということは全ての組パッドが１人の被施療者に貼着されていないということであり、このとき、被施療者はそのような状態での使用をすることが適切でないということを認識していない場合があり、表示及び／又は音により複数被施療者の使用だと判断したことを通知する、又は、１人のみの被施療者の使用をするべきだと通知することで、以降、複数の被施療者により使用することがなくなる。また、このような通知を行うことなく、治療を単に行わないとすれば、利用者はなぜ治療が行われないかの原因を容易に知ることができず、マニュアルを見て理解するか、カスタマーセンターに連絡して理解する必要があり手間がかかる。
【００１０】
また、本発明に係る低周波治療器は必要に応じて、前記表示及び／又は音により複数被施療者の使用だと判断したことを通知し、又は、１人のみの被施療者の使用をするべきだと通知した後、所定期間を置いて治療を行わないものである。このように本発明においては、前記表示及び／又は音により複数被施療者の使用だと判断したことを通知し、又は、１人のみの被施療者の使用をするべきだと通知するした後、所定期間を置いて治療を行わないので、前記同一組パッドのパッド間で導通している組パッドが複数あり、当該同一組パッドのパッド間で導通している組パッド間で導通が確認されないとき、すなわち、複数の被施療者が使用していると判断すると同時に、治療を行わなくなるのでなく、表示及び／又は音により複数被施療者の使用だと判断したことを通知し、又は、１人のみの被施療者の使用をするべきだと通知し、使用者は複数で使用することを止め、単独の被施療者の使用とするための猶予を与え、前記所定期間経過までに単独で使用することで治療を行わなくすることがないようにすることができ、特に、治療中の場合には治療が停止することなく、適切な治療を連続して受けることができる。
【００１１】
また、本発明に係る低周波治療器は必要に応じて、前記同一組パッドのパッド間で導通している組パッドが複数あり、当該同一組パッドのパッド間で導通している組パッド間で導通が確認されないときに、前記組パッド間で導通し合える複数の組パッドからなる組パッド群が複数ある場合に、一の組パッド群のみの組パッドで治療を行い、それ以外の組パッドで治療を行わないものである。このように本発明においては、前記同一組パッドのパッド間で導通している組パッドが複数あり、当該同一組パッドのパッド間で導通している組パッド間で導通が確認されないときに、前記組パッド間で導通し合える複数の組パッドからなる組パッド群が複数ある場合に、一の組パッド群のみの組パッドで治療を行い、それ以外の組パッドで治療を行わないので、前記同一組パッドのパッド間で導通している組パッド間で導通が確認されないときに全ての組パッドで治療を行わないとすることもできるが、１人の被施療者で使用している組パッドであるとの判断できれば、ある１人の被施療者で使用している組パッドのみで治療を行い、その他の組パッドで治療を行わないとすることができ、安全の観点から少なくとも１人の被施療者に治療を行うということを担保しつつ治療を提供することができる。
【００１２】
また、本発明に係る低周波治療器は必要に応じて、前記同一組パッドのパッド間で導通している組パッドが複数あり、当該同一組パッドのパッド間で導通している組パッド間で導通が確認されないとき、１つの組パッドのみで治療を行い、それ以外の組パッドで治療を行わないものである。このように本発明においては、前記同一組パッドのパッド間で導通している組パッド間で導通が確認されないときに、１つの組パッドのみで治療を行い、それ以外の組パッドで治療を行わないので、１つの組パッドのみで治療を行う場合に複数の被施療者が使用することはできず、ある被施療者の単独の使用となり、安全性を確保することができる。
【００１３】
また、本発明に係る低周波治療器は必要に応じて、前記治療を行う組パッドが、同一組パッドのパッド間で最先に導通した組パッドであるものである。このように本発明においては、前記治療を行う組パッドが、同一組パッドのパッド間で最先に導通した組パッドであるので、つまり、前記同一組パッドのパッド間で導通している組パッドが複数あり、当該同一組パッドのパッド間で導通している組パッド間で導通が確認されないとき、治療を行う組パッドが同一組パッドのパッド間で最先に導通した組パッドであり、又は、治療を行う一の組パッド群の組パッドの一つが最先に導通した組パッドであり、使用者がいちいち治療する組パッド及び組パッド群を指定することなく使用者に手間をかけることがなく、また、ランダムに治療する組パッド及び組パッド群を決定されることなく使用者がどの組パッド又は組パッド群が治療されるのかを検討することができないという状態を回避でき、円滑且つ一定の秩序の元に治療を行うことができる。さらには、一般的に、使用者は一番治療したい患部に対して始めに組パッドを貼着するので、治療を継続して行う組パッドとして相応しい。
【００１４】
【発明の実施の形態】
（本発明の第１の実施形態）
本発明の第１の実施形態に係る低周波治療器について図１ないし図１０に基づいて説明する。図１は本実施形態に係る低周波治療器の蓋部が閉じた状態の斜視図、図２は本実施形態に係る低周波治療器の蓋部が開いた状態の斜視図、図３は本実施形態に係る低周波治療器の背面斜視図、図４は本実施形態に係る低周波治療器のスイッチ部の正面図、図５は本実施形態に係る低周波治療器の制御部のブロック構成図、図６は本実施形態に係る低周波治療器の施療子貼着状態説明図、図７ないし図１０は本実施形態に係る低周波治療器の動作フローチャートである。
【００１５】
前記各図において本実施形態に係る低周波治療器は、開閉可能で液晶ディスプレイ１１を配設された蓋部１と、スイッチを複数配設されたスイッチ部２と、ある程度の収納力を有する収納部３と、交流を直流に変換するＡＣアダプター４と、このＡＣアダプター４を収納可能なＡＣアダプター収納部５と、前記ＡＣアダプター４と接続し電源ジャックからの電力を供給する電源ケーブル７と、発熱を生じる発熱部８１ａと電気刺激を与える導子部８１ｂとを有する複数の組パッド８と、当該施療子の発熱部８１ａと導子部８１ｂとに治療用信号を生成する治療用信号生成部６１ｃを有する制御部６とを備え、前記組パッド８間で導通確認し、同一組パッド８のパッド８１間で導通している組パッド８が複数あり、当該同一組パッド８のパッド８１間で導通している組パッド８間で導通が確認されないとき、治療を行わない構成である。
【００１６】
前記蓋部１は、上面の両サイドを除く中央部に位置し、本体の一辺で枢設され、内面に液晶ディスプレイ１１を有し、開いた状態で液晶ディスプレイ１１が表れるようになっている。
前記収納部３は、図２に示すように、左側面から引き出し可能で奥方向にマグネット３１が配設され、このマグネット３１と逆の極性のマグネット（図示しない）が本体の収納部３を挿入する位置に、配設され、挿入時に、ある程度の力で引かなければ収納部３が引き出せないようになっており、低周波治療器本体を持ち運びして本体が斜めになったぐらいでは収納部３が自然に引き出されることない。また、この収納部３には、組パッド８等の施療子を収納することができる。他にも、交換用の替パッド８４を収納できる他、収納部３の収納の大きさ内のものであれば、取り扱い説明書等も収納することができる。
【００１７】
前記スイッチ部２は、図４に示すように、「電源入／切」ボタン２ａ、「肩」ボタン２ｂ、「背」ボタン２ｃ、「腰」ボタン２ｄ、「腕・脚」ボタン２ｅ、「関節」ボタン２ｆ、「マイメモリー」ボタン２ｇ、「機能」ボタン２ｈ、「開始／停止」ボタン２ｉ、「一時停止」ボタン２ｊ、「ロック」ボタン２ｋ、「１５分／３０分」ボタン２ｌ、「強さ」ダイヤル２ｍ、「極性切替」ボタン２ｎ、「連続／断続」ボタン２ｏ、「メモリー」ボタン２ｐ、「速さ」ボタン２ｑ、「温熱治療」ボタン２ｒ、「ヒータ」ボタン２ｓ、「予熱」ボタン２ｔ、「入／切」ボタン２ｕ、「強／弱」ボタン２ｖ、及び、「１５分／３０分」ボタン２ｗからなる。
【００１８】
「電源入／切」ボタン２ａは、電源を入切するためのボタンである。「肩」ボタン２ｂ、「背」ボタン２ｃ、「腰」ボタン２ｄ、「腕・脚」ボタン２ｅ及び「関節」ボタン２ｆは、自動コース選択のためのボタン（自動コースボタン）である。「マイメモリー」ボタン２ｇは、メモリー機能により予め記録されている施療内容を呼び出すためのボタンである。「機能」ボタン２ｈは、治療内容を波形を元に選択する際に使用するためのボタンである。「開始／停止」ボタン２ｉは、低周波治療を行う際に治療開始のトリガとして使用するためのボタンである。「一時停止」ボタン２ｊは、すべての出力（低周波・温熱）を一時的に停止するためのボタンである。「ロック」ボタン２ｋは、ボタンを押下することにより、治療中の誤操作防止のために、キー入力及びダイヤル入力を受け付けなくするためのボタンである（但し、「電源入／切」ボタンと「開始／停止」ボタンだけは受け付ける）。「１５分／３０分」ボタン２ｌは、治療時間の設定値を１５分若しくは３０分に交互に切り換えるためのボタンである。「強さ」ダイヤル２ｍは、低周波治療の刺激の強さを調節するためのダイヤルである。「極性切替」ボタン２ｎは、「標準（＋）」、「反転（−）」、「交互」若しくは「同時」と組パッドによる体感を変わらせるためのボタンである。「連続／断続」ボタン２ｏは、「断続」若しくは「連続」に切り換えるためのボタンである。「メモリー」ボタン２ｐは、使用時間、極性、連続断続設定等の動作属性とともに、カスタムコースの内容として記憶し、再生するためのボタンである。「速さ」ボタン２ｑは、治療のテンポを速くしたり遅くしたりするためのボタンである。「温熱治療」ボタン２ｒは、組パッド内蔵ヒータにて温熱治療を行うためのボタンである。「ヒータ」ボタン２ｓは、低周波治療時に組パッド内蔵ヒータにごくわずかに通電し、組パッドの保温効果を高めるためのボタンである。「予熱」ボタン２ｔは、組パッドを身体に貼る際のひんやり感を防ぐため、事前に組パッドの粘着パッドを温めおくためのボタンである。「入／切」ボタン２ｕは、温熱治療マットの通電入／切を切り換えるためのボタンである。「強／弱」ボタン２ｖは、温熱治療マット使用時の温熱治療の強弱を切り換えるためのボタンである。「１５分／３０分」ボタン２ｗは、温熱治療マットを用いた温熱治療の治療時間を切り換えるためのボタンである。
【００１９】
前記ＡＣアダプター４は、ＡＣアダプタープラグ７３を接続するためのＡＣアダプタージャック４１と、交流から直流に変換する変換部と、直流にした電流を出力するための直流ジャック４２とからなる。また、直流ジャック４２と本体に配設された供給口ジャック４３とを接合する直流ケーブル４４がある。
前記ＡＣアダプター収納部５は、底面で収納部、いくつかの形状の異なるＡＣアダプター４を収納できる。形状の異なるＡＣアダプター４とは、ＡＣアダプター４も出力内容によって大きさがことなり、通常、高出力であればあるほど大きさが大きくなり発熱量も大きい。例えば、温熱治療をするにあたっては、大きな出力を要するために、高出力のＡＣアダプター４が必要となって大きなＡＣアダプター収納部５も要し、低周波治療のみであれば温熱治療をするほど出力が必要とならず、温熱治療時のＡＣアダプター４より低出力のＡＣアダプター４でよく同様にＡＣアダプター収納部５も小さくて済む。すなわち、ＡＣアダプター収納部５は、この２種類の大きさのＡＣアダプター４に対応可能となっておく必要がある。また、これは、単に施療者が温熱治療をするか否かで、ＡＣアダプター４を選別する場合に活用できるだけでなく、ある金型でＡＣアダプター収納部５を成形し温熱治療機能を有する低周波治療器として製造し、同一の金型で温熱治療機能を有しない低周波治療器も製造することができる。これは、ＡＣアダプター収納部５がどちらのＡＣアダプター４にも対応していることにより可能となった。この具体例では２つのＡＣアダプター４について説明したが、これに限らず、より多くのＡＣアダプター４に対応したＡＣアダプター収納部５を形成することもできる。また、このＡＣアダプター収納部５には、蓋５３が付いており、低周波治療器を裏返しにして、ＡＣアダプター４をＡＣアダプター収納部５に収納して、蓋５３をすることで低周波治療器を表にしたときにＡＣアダプター４が低周波治療器から外れないようにしている。また、蓋５３には、いくつかの仕切り５４が用意され、ＡＣアダプター収納部５の空間で収納時のＡＣアダプター４が占有していない空間を仕切り５４が占有することで、本低周波治療器を移動させた場合にもＡＣアダプター４が動くことがない。本低周波治療器底面のＡＣアダプター収納部５の蓋５３に近接してツマミ５１が設けてあり、この本体のツマミ５１と蓋のツマミ穴５５とが係合することで蓋５３が容易に固定され、この本体のツマミ５１にはスライダー５２が設けられ、スライダー５２をスライドさせると本体のツマミ５１が引っ込み係合が解かれ、蓋５３が容易に開くようになっている。
【００２０】
制御部６は、図５に示すように、低周波治療器信号を出力等する回路基盤６１と、スイッチのオンオフを検出するスイッチ用基盤６２からなり、スイッチ用基盤６２がスイッチ部２の下に配設され、回路基板６１がこのスイッチ用基盤６２の下に配設されており、二段重ねの基盤からなる構成である。スイッチ用基盤６２が、前記スイッチ部２の各ボタンのどのボタンが押下されたかを回路基盤６１に伝達する。回路基盤６１は、各種制御を行うマイコン６１ａと、マイコン６１ａが読み出す身体表示情報及び文字表示情報を記録するＲＯＭ６１ｂと、治療用信号を生成する治療用信号生成部６１ｃと、ＡＣアダプター４から供給される電気を各部位に分配する電気回路６１ｄ等からなる。ＲＯＭ６１ｂには、治療用信号生成部６１ｃが読み出すマッサージ情報も記録しており、治療用信号生成部６１ｃはかかるマッサージ情報に基づいて治療用信号を生成する。なお、回路基盤６１とスイッチ用基盤６２とが一体となっているもの、回路基盤６１にスイッチ用基盤６２が包含されているものもある。制御部６は、このように二段重ねの基盤からなる構成としたが、これに限定されることなく、当然に一つの基盤からなる構成でもよい。
【００２１】
マイコン６１ａは、ケーブル若しくはバス（図示しない）でＲＯＭ６１ｂ、液晶ディスプレイ１１、治療用信号生成部６１ｃ、スイッチ部２、ＬＥＤランプと接続され、信号を送受信している。マイコン６１ａがＲＯＭ６１ｂに格納されている表示信号やマッサージ情報を読出しており、従って、ケーブル若しくはバス上はこれら表示情報やマッサージ情報が送受されており、その他にマイコン６１ａがＲＯＭ６１ｂに対して指定した情報を読出し可能となるようにＲＯＭ６１ｂに対する制御信号がマイコン６１ａからＲＯＭ６１ｂに対して送信されている。マイコン６１ａがＲＯＭ６１ｂから読み出したマッサージ情報を治療用信号生成部６１ｃに送信する。マイコン６１ａがＲＯＭ６１ｂから読み出した表示情報を液晶ディスプレイ１１に送信する。ここで、マイコン６１ａは、ＲＯＭ６１ｂから読み出した表示情報をそのまま液晶ディスプレイ１１に送信する以外に、表示情報に対して情報処理を施して表示情報を液晶ディスプレイ１１に送信することもでき、例えば、通常だと身体の一部のみが表示される身体表示情報に対して情報処理を施すことにより身体の一部のみを色を変更した表示情報として液晶ディスプレイ１１に送信することができる。マイコン６１ａは、スイッチ部２からどのスイッチが押下されたかの情報を受信し、ＬＥＤランプに対しては特定のＬＥＤランプを点灯させたり消灯させたりする制御信号を送信する。その他、マイコン６１ａは、各種制御を行っている。以下の使用動作も明示的に主体が記載されていない限り、マイコン６１ａの制御によるものである。
【００２２】
治療用信号生成部６１ｃは、ＲＯＭ６１ｂに記録されているマッサージコースに対応するマッサージ情報をマイコン６１ａを介して受信し、このマッサージ情報に基づいて治療用信号を生成する。生成した治療用信号は接続している治療子である組パッド８に出力される。ここで、組パッド８は２つ用意されている。組パッド８が本低周波治療器に接続されている場合に点灯し、接続されていない場合に消灯する接続ＬＥＤランプ１０と、接続している組パッド８が温熱治療を行っている場合に点灯し、行っていない場合に消灯する温熱治療ＬＥＤランプ１１とが、液晶ディスプレイ１１の下部にそれぞれＬＥＤランプが計４つ用意されている。接続ＬＥＤランプ１０と温熱治療ＬＥＤランプ１１とが１組となって、それぞれ組パッド８Ａ及び組パッド８Ｂに対応している。組パッド８Ａには接続ＬＥＤランプ１０Ａ、温熱治療ＬＥＤランプ１１Ａが対応し、組パッド８Ｂには接続ＬＥＤランプ１０Ｂ、温熱治療ＬＥＤランプ１１Ｂが対応している。
【００２３】
組パッド８は、２枚のパッド８１と、治療用信号生成部が出力される治療用信号をパッド８１に伝達する治療用信号コード８２と、低周波治療器本体のジャック９と接続するパッドプラグ８３となる。この組パッド８には、コンパクトに収納することを可能とするコードリール８５がある。このコードリール８５は、両面にパッド８１を貼着できる貼着部８５ａを備え、この２つの貼着部８５ａの間に治療用信号コードを巻き入れる溝であるリール部８５ｂが形成されている。さらに、詳細には、このリール部の幅がパッドプラグ８３の手持ち部分の径より若干狭くなっており、組パッド８の２枚のパッド８１をコードリールの貼着部に貼着し、治療用信号コード８２をリール部に巻き取った後、パッドプラグ８３の手持ち部分をリール部に嵌入させて巻き取り状態を保持することができる。このように巻き取り状態を保持することができ、簡単に治療用信号コード８２がばらけたりせず、収納部３に容易に収納することができる。前記治療用信号生成部６１ｃは、発熱用信号生成部と導子用信号生成部とに分かれて構成されている。マイコン６１ａを介してＲＯＭ６１ｂからマッサージ情報を治療用信号生成部６１ｃが受け取るが、マッサージ情報も発熱部８１ａに関するマッサージ情報と導子部８１ｂに関するマッサージ情報とに分かれ、マイコン６１ａにより、発熱部８１ａに関するマッサージ情報が発熱用信号生成部６１ｃ１に出力され、導子部８１ｂに関するマッサージ情報が導子用信号生成部６１ｃ２に出力される。発熱用信号生成部６１ｃ１が入力された発熱部８１ａに関するマッサージ情報に基づいて発熱部８１ａに関する治療用信号が生成され、導子用信号生成部６１ｃ２が入力された導子部８１ｂに関するマッサージ情報に基づいて導子部８１ｂに関する治療用信号が生成される。なお、本実施形態においては、パッド型の施療子について説明しているが、これに限定されることなく、針状、突起状においても、治療に電気信号を用いるものにおいては、適用することができる。
【００２４】
この組パッド８は、発熱を生じる発熱部８１ａと電気刺激を与える導子部８１ｂとを有する施療子であり、詳細にはパッド８１に発熱部８１ａと導子部８１ｂとを有し、治療用信号コード８２も２系統に分かれ、１系統が発熱部８１ａに発熱部８１ａに関する治療用信号を送るためであり、残りの１系統が導子部８１ｂに導子部８１ｂに関する治療用信号を送るためである。
発熱部８１ａに関する治療用信号を２種類用意し、動作温度の高い発熱部８１ａに関する治療用信号を温熱信号とし、動作温度の低い発熱部８１ａに関する治療用信号をヒータ信号とする。利用者がスイッチ部２の「温熱治療」ボタン２ｒを押下すると、「温熱治療」ボタン２ｒを押下されたことをスイッチ部２がマイコン６１ａに出力し、マイコン６１ａがＲＯＭ６１ｂから発熱部８１ａに関するマッサージ情報を読出し発熱部信号生成部６１ｃ１に出力し、発熱部信号生成部６１ｃ１が発熱部８１ａに関するマッサージ情報に基づいて温熱信号を発熱部８１ａに出力する。一方、利用者がスイッチ部２の「ヒータ」ボタン２ｓを押下すると、「ヒータ」ボタン２ｓを押下されたことをスイッチ部２がマイコン６１ａに出力し、マイコン６１ａがＲＯＭ６１ｂから発熱部８１ａに関するマッサージ情報を読出し発熱部信号生成部６１ｃ１に出力し、発熱部信号生成部６１ｃ１が発熱部８１ａに関するマッサージ情報に基づいてヒータ信号を発熱部８１ａに出力する。
【００２５】
また、「温熱治療」ボタン２ｒを押下して温熱治療を行っている最中には、「温熱治療」ボタンに隣接して形成されている温熱治療ＬＥＤランプ２Ｒが点灯し、温熱治療を停止した場合に温熱治療ＬＥＤランプ２Ｒが消灯する。同様に、「ヒータ」ボタン２ｓを押下して暖めている最中には、「ヒータ」ボタン２ｓに隣接して形成されているヒータＬＥＤランプ２Ｓが点灯し、ヒータを停止した場合若しくは組パッド８のヒータが終わった場合にはヒータＬＥＤランプ２Ｓが消灯する。また、同様に、「予熱」ボタン２ｔを押下して暖めている最中には、「予熱」ボタン２ｔに隣接して形成されている予熱ＬＥＤランプ２Ｔが点灯し、予熱を停止した場合若しくは予熱が終わった場合には予熱ＬＥＤランプ２Ｔの消灯する。
【００２６】
パッド８１の発熱部８１ａによる治療、すなわち、発熱を生じることによる治療は、「温熱治療」ボタン２ｒ若しくは「ヒータ」ボタン２ｓを押下することで行われる。この「温熱治療」ボタン２ｒ若しくは「ヒータ」ボタン２ｓは、低周波治療器の電源が入っていれば、いつでも有効であり、発熱部による治療を行うことができる。なお、前記導子部による治療と同様に幾つかのステップを液晶ディスプレイ１１の表示にしたがって行い、発熱部１１の治療を行うことができる。
電源ケーブル７は、電源コンセント（図示しない）に差し込む電源プラグ７１を一端に有し、他端にＡＣアダプタージャック４１に差し込むＡＣアダプタープラグ７３有し、この電源プラグ７１とＡＣアダプタープラグ７３の間にケーブル７２が位置している。
【００２７】
組パッド８間で導通するとは、一の組パッド８のパッド８１と他の組パッド８のパッド８１とが導通していることをいう。同一組パッドのパッド間で導通しているとは、組パッド８の一方のパッド８１と同組パッド８の他方のパッド８１とが実際に導通していることをいう。例えば、図６（Ａ）に示すように、一人の被施療者Ａに組パッド８ｓと組パッド８ｔとが貼着される場合には、α若しくはβの点線のように、組パッド８間で導通することができる。また、組パッド８ｓ、組パッド８ｔが同一組パッドのパッド間で導通している。一方、図６（Ｂ）に示すように、二人の被施療者Ａ、被施療者Ｂにそれぞれ組パッド８ｓ、組パッド８ｔが貼着される場合には、組パッド８間で導通することができない。また、組パッド８ｓ、組パッド８ｔがそれぞれ導通することはできる。
【００２８】
次に、本実施形態に係る低周波治療器の使用動作について説明する。本実施形態に係る低周波治療器は複数の組パッド８を用いた場合に特徴を有するが、この複数の組パッド８を用いる場合としては、２つの場合に大きく分けることができる。１つめは、１組の組パッド８の使用、複数の組パッド８の使用のどちらでも動作できる場合、２つめは、１組の組パッド８の使用では動作できず、必ず、複数の組パッド８を使用しなければならない場合である。複数の組パッド８を使用しなければならない場合とは、干渉波を生じさせるとき、スクランブル通電を行うとき等が該当する。以下の説明では、始めに、１つめの１組の組パッド８の使用、複数の組パッド８の使用のどちらでも動作できる場合について説明し、次に、２つめの１組の組パッド８の使用では動作できず、必ず、複数の組パッド８を使用しなければならない場合について説明する。なお、以下の動作において、利用者からの特別な操作、若しくは、機器の緊急回避的な制御による割り込み処理について説明は省略する。利用者からの特別な操作とは治療中に電源をオフにするなどが該当し、機器の緊急回避的な制御とは過電流が生じた場合に治療を停止することなどが該当する。
【００２９】
施療者は、本低周波治療器の電源ケーブル７の電源プラグ７１をコンセントに差し込む。ここで、既に、ＡＣアダプター４は、ＡＣアダプター収納部５に収納されているものとする。ここで、ジャック９は、ジャック９Ａ及びジャック９Ｂがあり、かかるジャック９Ａに組パッド８のパッドプラグ８３を差し込むことでこの組パッド８は組パッド８Ａとなり、ジャック９Ｂに組パッド８のパッドプラグ８３を差し込むことでこの組パッド８は組パッド８Ｂとなる。施療者は「ＯＮ／ＯＦＦ」ボタン１ａを押下し、本低周波治療器の電源を入れる。電源が入ることで、マイコン６１ａは自動的にＲＯＭ６１ｂから初期画面の表示情報を読出し液晶ディスプレイ１１に出力し、この液晶ディスプレイ１１がこの初期画面を表示する（ステップ１、以下ステップ１４まで図７参照）。また、電源が入ることで組パッド８のパッドプラグ８３がジャック９に差し込まれていれば、接続ＬＥＤランプ１０Ａ及び接続ＬＥＤランプ１０Ｂが点灯し、このパッドプラグ８３が差し込まれた組パッド８はそれぞれ組パッド８Ａ及び組パッド８Ｂとなる。この接続ＬＥＤランプ１０Ａ及び接続ＬＥＤランプ１０Ｂがあることで、施療者は、画面を見て組パッド８Ａが適切に接続されていることを確認することができる。したがって、組パッド８のパッドプラグ８３がジャック９Ａ及びジャック９Ｂに差し込まれていない場合、若しくは、適切に差し込まれていない場合、接続ＬＥＤランプ１０Ａ及び接続ＬＥＤランプ１０Ｂが点灯せず、施療者は、組パッド８のパッドプラグ８３がジャック９Ａ及びジャック９Ｂに差し込まれていない、若しくは、適切に差し込まれていないということに気付くこととなる。初期画面の表示した後に、次に、マイコン６１ａがＲＯＭ６１ｂから「自動コースボタン又は『機能』ボタンを押下して選択して下さい。」との文字表示情報を読出し液晶ディスプレイ１１に表示する（ステップ２）。
【００３０】
自動コースボタンが押下されたか否かを判断する（ステップ３）。ステップ３において施療者が自動コースボタンを押下したと判断した場合には、まず、かかる自動コースボタンに該当する身体表示情報をマイコン６１ａがＲＯＭ６１ｂより読出し液晶ディスプレイ１１に表示する（ステップ４）。身体表示情報には身体の図以外に組パッド８をどこに貼着すればよいかの情報が含まれ、液晶ディスプレイ１１に表示された身体には組パッド８を貼着すべき位置が表示された身体上に重ねて表示されている。さらに、「表示している貼着位置に組パッドを貼着し、開始ボタンを押下して下さい。」との文字表示情報をマイコン６１ａがＲＯＭ６１ｂから読出し、この身体が表示されている液晶ディスプレイ１１に表示する（ステップ５）。「開始」ボタン２ｉを押下したか否かを判断する（ステップ６）。このステップ６において「開始」ボタン２ｉを押下したと判断した場合に、少なくとも１つの組パッド８がジャック９に差し込まれているか否かを判断する（ステップ７）。このステップ７において、少なくとも１つの組パッド８のパッドプラグ８３がジャック９に差し込まれていないと判断した場合に、組パッド８をジャック９に差し込み「開始」ボタン２ｉを押下するように表示若しくは音声により使用者に伝える（ステップ８）。ステップ８後再びステップ７に移行する。前記ステップ７において、少なくとも１つの組パッド８のパッドプラグ８３がジャック９に差し込まれていると判断した場合に、人体検出を行い、少なくとも１つの組パッド８が被施療者に貼着されているか否かを判断する（ステップ９）。このステップ９において、少なくとも１つの組パッド８のパッド８１が貼着されていないと判断された場合に、組パッド８のパッド８１を貼着するように表示若しくは音声により使用者に伝える（ステップ１０）。ステップ１０後再びステップ９に移行する。前記ステップ９において、少なくとも１つの組パッド８のパッド８１が貼着されていると判断された場合に、同一組パッド８のパッド８１間で導通している組パッド８が複数あり、当該同一組パッド８のパッド８１間で導通している組パッド８間で導通が確認されないか否かを判断する（ステップ１１）。このステップ１１において、同一組パッド８のパッド８１間で導通している組パッド８が複数あり、当該同一組パッド８のパッド８１間で導通している組パッド８間で導通が確認されないと判断した場合に、治療を行うことなく、使用者に対して複数被施療者の使用であり一の被施療者の使用のみしか動作しないとの旨を表示若しくは音声により使用者に伝える（ステップ１２）。ステップ１２後再びステップ１１に移行する。前記ステップ１１において、同一組パッド８のパッド８１間で導通している組パッド８が複数あり、当該同一組パッド８のパッド８１間で導通している組パッド８間で導通が確認されない場合でないと判断した場合に、マイコン６１ａが被施療者が押下した自動コースボタンに対応するマッサージ情報をＲＯＭ６１ｂから読出し、治療用信号生成部６１ｃに出力する（ステップ１３）。治療用信号生成部６１ｃは、入力されるマッサージ情報に基づいて治療用信号を組パッド８に出力する（ステップ１４）。ここで、人体検出は、組パッド８の一方のパッド８１と同組パッド８の他方のパッド８１とが導通していれば、人体に貼着されている状態であると判断し、導通していなければ、人体に貼着されていない状態であると判断する。
【００３１】
前記ステップ３において、自動コースボタンが押下されていないと判断した場合に、「機能」ボタン２ｈが押下されたか否かを判断する（ステップ１５、以下ステップ２６まで図８参照）。このステップ１５において、「機能」ボタン２ｈが押下されていないと判断した場合に、ステップ３に戻る。前記ステップ１５において、「機能」ボタン２ｈが押下されていると判断した場合に、「たたく」、「もむ」、「おす」、「バイブ」、「さざなみ」、「うねり」、「スクランブル」の７種類の波形を選択可能に表示し（ステップ１６）、同時に、「表示された『たたく』、『もむ』、『おす』、『バイブ』、『さざなみ』、『うねり』、『スクランブル』の波形から選択し組パッドを貼着して『開始』ボタンを押下して下さい。」との表示も行う（ステップ１７）。「開始」ボタン２ｉを押下したか否かを判断する（ステップ１８）。このステップ１８において「開始」ボタン２ｉを押下したと判断した場合に、少なくとも１つの組パッド８がジャック９に差し込まれているか否かを判断する（ステップ１９）。このステップ１９において、少なくとも１つの組パッド８のパッドプラグ８３がジャック９に差し込まれていないと判断した場合に、組パッド８をジャック９に差し込み「開始」ボタン２ｉを押下するように表示若しくは音声により使用者に伝える（ステップ２０）。ステップ２０後再びステップ１９に移行する。前記ステップ１９において、少なくとも１つの組パッド８のパッドプラグ８３がジャック９に差し込まれていると判断した場合に、人体検出を行い、少なくとも１つの組パッド８が被施療者に貼着されているか否かを判断する（ステップ２１）。このステップ２１において、少なくとも１つの組パッド８のパッド８１が貼着されていないと判断された場合に、組パッド８のパッド８１を貼着するように表示若しくは音声により使用者に伝える（ステップ２２）。ステップ２２後再びステップ２１に移行する。前記ステップ２１において、少なくとも１つの組パッド８のパッド８１が貼着されていると判断された場合に、同一組パッド８のパッド８１間で導通している組パッド８が複数あり、当該同一組パッド８のパッド８１間で導通している組パッド８間で導通が確認されないか否かを判断する（ステップ２３）。このステップ２３において、同一組パッド８のパッド８１間で導通している組パッド８が複数あり、当該同一組パッド８のパッド８１間で導通している組パッド８間で導通が確認されないと判断した場合に、治療を行うことなく、使用者に対して複数被施療者の使用であり一の被施療者の使用のみしか動作しないとの旨を表示若しくは音声により使用者に伝える（ステップ２４）。ステップ２４後再びステップ２３に移行する。前記ステップ２３において、同一組パッド８のパッド８１間で導通している組パッド８が複数あり、当該同一組パッド８のパッド８１間で導通している組パッド８間で導通が確認されない場合でないと判断した場合に、マイコン６１ａが使用者が選択した波形に対応するマッサージ情報をＲＯＭ６１ｂから読出し、治療用信号生成部６１ｃに出力する（ステップ２５）。治療用信号生成部６１ｃは、入力されるマッサージ情報に基づいて治療用信号を組パッド８に出力する（ステップ２６）。
前記ステップ６において、「開始」ボタン２ｉを押下していないと判断した場合には、ステップ６に戻る。前記ステップ１８において、「開始」ボタン２ｉを押下していないと判断した場合には、ステップ１８に戻る。
【００３２】
次に、２つめの１組の組パッド８の使用では動作できず、必ず、複数の組パッド８を使用しなければならない場合について説明する。前述したが複数の組パッド８を必ず使用しなければならない場合とは、干渉波を生じさせるとき、スクランブル通電を行うとき等が該当する。使用者が選択した波形若しくは自動コースにより複数の組パッド８を使用しなければならない場合か否かを判断することにより動作の切り分けを行うことができる。以下の動作は、前記した１つめの図７に示す動作のフローチャートのステップ６とステップ７の間に以下説明する処理を追加することで行われる。同様に、図８に示す動作のフローチャートのステップ１８とステップ１９の間に以下説明する処理を追加することで行われる。また、以下の説明は、それぞれ、ステップ６若しくはステップ１８以降の説明から行う。
【００３３】
前記ステップ７に移行前にステップ３で選択された自動コースが、複数の組パッド８を使用しなければならない場合か否かを判断する（ステップ３０、以下ステップ３８まで図９参照）。このステップ３０において、複数の組パッド８を使用しなければならない場合でないと判断された場合、通常通り、ステップ７に移行する。前記ステップ３０において、複数の組パッド８を使用しなければならない場合であると判断した場合、２つの組パッド８がジャック９に差し込まれているか否かを判断する（ステップ３１）。このステップ３１において、２つの組パッド８のパッドプラグ８３がジャック９に差し込まれていないと判断した場合に、２つの組パッド８をジャック９に差し込み「開始」ボタン２ｉを押下するように表示若しくは音声により使用者に伝える（ステップ３２）。ステップ３２後再びステップ３１に移行する。前記ステップ３１において、２つの組パッド８のパッドプラグ８３がジャック９に差し込まれていると判断した場合に、人体検出を行い、２つの組パッド８が被施療者に貼着されているか否かを判断する（ステップ３３）。このステップ３３において、２つの組パッド８のパッド８１が貼着されていないと判断された場合に、組パッド８のパッド８１を貼着するように表示若しくは音声により使用者に伝える（ステップ３４）。ステップ３４後再びステップ３３に移行する。前記ステップ３３において、２つの組パッド８が被施療者に貼着されていると判断された場合に、この２つの組パッド８間で導通が確認されるか否かを判断する（ステップ３５）。このステップ３５において、２つの組パッド８間で導通が確認されないと判断した場合に、治療を行うことなく、使用者に対して複数被施療者の使用であり一の被施療者の使用のみしか動作しないとの旨を表示若しくは音声により使用者に伝える（ステップ３６）。ステップ３６後再びステップ３５に移行する。前記ステップ３５において、２つの組パッド８間で導通が確認されると判断した場合に、マイコン６１ａが被施療者が押下した自動コースボタンに対応するマッサージ情報をＲＯＭ６１ｂから読出し、治療用信号生成部６１ｃに出力する（ステップ３７）。治療用信号生成部６１ｃは、入力されるマッサージ情報に基づいて治療用信号を組パッド８に出力する（ステップ３８）。
【００３４】
同様に、前記ステップ１９に移行前にステップ１７で選択された波形が、複数の組パッド８を使用しなければならない場合か否かを判断する（ステップ３９、以下ステップ４７まで図１０参照）。このステップ３９において、複数の組パッド８を使用しなければならない場合でないと判断された場合、通常通り、ステップ１９に移行する。前記ステップ３９において、複数の組パッド８を使用しなければならない場合であると判断した場合、２つの組パッド８がジャック９に差し込まれているか否かを判断する（ステップ４０）。このステップ４０において、２つの組パッド８のパッドプラグ８３がジャック９に差し込まれていないと判断した場合に、２つの組パッド８をジャック９に差し込み「開始」ボタン２ｉを押下するように表示若しくは音声により使用者に伝える（ステップ４１）。ステップ４１後再びステップ４０に移行する。前記ステップ４０において、２つの組パッド８のパッドプラグ８３がジャック９に差し込まれていると判断した場合に、人体検出を行い、２つの組パッド８が被施療者に貼着されているか否かを判断する（ステップ４２）。このステップ４２において、２つの組パッド８のパッド８１が貼着されていないと判断された場合に、組パッド８のパッド８１を貼着するように表示若しくは音声により使用者に伝える（ステップ４３）。ステップ４３後再びステップ４２に移行する。前記ステップ４２において、２つの組パッド８のパッド８１が貼着されていると判断された場合に、この２つの組パッド８間で導通が確認されるか否かを判断する（ステップ４４）。このステップ４４において、２つの組パッド８間で導通が確認されないと判断した場合に、治療を行うことなく、使用者に対して複数被施療者の使用であり一の被施療者の使用のみしか動作しないとの旨を表示若しくは音声により使用者に伝える（ステップ４５）。ステップ４５後再びステップ４４に移行する。前記ステップ４４において、２つの組パッド８間で導通が確認されると判断した場合に、マイコン６１ａが使用者が選択した波形に対応するマッサージ情報をＲＯＭ６１ｂから読出し、治療用信号生成部６１ｃに出力する（ステップ４６）。治療用信号生成部６１ｃは、入力されるマッサージ情報に基づいて治療用信号を組パッド８に出力する（ステップ４７）。
【００３５】
このように本実施形態に係る低周波治療器によれば、前記組パッド８間で導通確認し、同一組パッド８のパッド８１間で導通している組パッド８が複数あり、当該同一組パッド８のパッド８１間で導通している組パッド８間で導通が確認されないとき、治療を行わないので、すなわち、複数の組パッド８を有し同一組パッド８のパッド８１間で導通している組パッド８が複数ありということは患部に貼着されている組パッド８が複数あるということであり、さらに、これらの同一組パッド８のパッド８１間で導通している組パッド８間で導通が確認されないということは全ての貼着されている組パッド８が１人の被施療者に貼着されていないということであり、複数の被施療者が使用している可能性があるということが判断でき、この場合に動作しないことにより意図しない治療電流が流れることを防止し、安全性を確保することができる。
【００３６】
なお、本実施形態に係る低周波治療器において、治療開始前に複数の被施療者に組パッド８が貼着されているか否かを判断しているが、１人の被施療者が１つの組パッド８を貼着して治療を受けている場合に、他の被施療者がもう１つの組パッド８を貼着した場合等も治療を行わないようにするために、治療中も所定タイミングで、複数の被施療者に組パッド８が貼着されているか否かを判断して治療を行うか否かを決定することもでき、治療途中から適切な使用方法を守らない場合であっても、適切に治療を行わないようにすることができる。
【００３７】
また、本実施形態に係る低周波治療器において、同一組パッドのパッド間で導通している組パッド８が複数あり、当該同一組パッドのパッド間で導通している組パッド８間で導通が確認されない場合には、複数被施療者の使用であると判断して治療を行わないようにしているが、１人の被施療者の使用であっても、この被施療者に貼着されていない組パッド８がショートしている場合にも、同一組パッドのパッド間で導通している組パッド８が複数あり、当該同一組パッドのパッド間で導通している組パッド８間で導通が確認されないという状態となり、このショートしている場合も想定可能であるので、ステップ１２等で複数施療者の使用である旨だけでなくショートしている可能性がある旨を使用者に伝え治療を行わない構成とすることもできる。ここで、ショートしている場合には、人体と貼着した場合と比べると、過電流が流れていたり、電圧レベルが異なるので、これらを基準としてショートしているのか否かを判断することができる。最悪、同一組パッド８のパッド間で導通している組パッド８が複数あり、当該同一組パッドのパッド間で導通している組パッド８間で導通が確認される場合、すなわち、全ての組パッド８がショートして、組パッド８間で導通している場合が想定できるが、この場合も電流の大きさ、電圧レベルを基準としてショートしているのか否かを判断して対処することができる。
【００３８】
（本発明の第２の実施形態）
本発明の第２の実施形態に係る低周波治療器について図１１又は図１２に基づいて説明する。図１１又は図１２は本実施形態に係る動作フローチャートである。
本実施形態に係る低周波治療器は、前記第１の実施形態と同様に、開閉可能で液晶ディスプレイ１１を配設された蓋部１と、スイッチを複数配設されたスイッチ部２と、ある程度の収納力を有する収納部３と、交流を直流に変換するＡＣアダプター４と、このＡＣアダプター４を収納可能なＡＣアダプター収納部５と、前記ＡＣアダプター４と接続し電源ジャックからの電力を供給する電源ケーブル７と、発熱を生じる発熱部８１ａと電気刺激を与える導子部８１ｂとを有する複数の施療子と、当該施療子の発熱部８１ａと導子部８１ｂとに治療用信号を生成する治療用信号生成部６１ｃを有する制御部６とを備え、前記組パッド８間で導通確認し、同一組パッド８のパッド８１間で導通している組パッド８が複数あり、当該同一組パッド８のパッド８１間で導通している組パッド８間で導通が確認されないとき、治療を停止し、治療を停止した後、前記導通が確認されなかった組パッド８間で導通が確認されたとき、治療を開始若しくは再開することを異にする構成である。
【００３９】
治療を再開とは、前記同一組パッド８のパッド８１間で導通している組パッド８間で導通が確認されないとき、治療を停止した後に、前記導通が確認されなかった組パッド８間で導通が確認されたとき再び、治療が停止された治療中の工程から治療をすることをいう。
治療を再開させるためには、治療が停止された治療中の工程を記録しておかなければならないが、治療に対応するマッサージ情報をどこまで実行させたかを記録しておくことで実現することができる。
治療を停止するとき、組パッド８に出力している治療用信号を、前記同一組パッド８のパッド８１間で導通している組パッド８間で導通が確認する同時に停止することもできるが、治療用信号の電圧レベルが０となったとき、若しくは、波形の一単位（押す、もむといった波形を１回実現させるために必要なパルスの集まり）が治療中でないとき、停止することもでき、被施療者に治療の刺激が急に停止すること防止し、また、円滑に治療を再開させることができる。
【００４０】
次に、本実施形態に係る低周波治療器の使用動作について説明する。前記第１の実施形態に係る低周波治療器の使用動作と同様に動作し、ステップ１４、ステップ２６、ステップ３８若しくはステップ４７において、治療用信号を組パッド８に出力して、治療を被施療者に行っているとする。この治療を被施療者に行っている間、低周波治療器は以下の動作を続けている。
【００４１】
まず、同一組パッド８のパッド８１間で導通している組パッド８が複数あり、当該同一組パッド８のパッド８１間で導通している組パッド８間で導通が確認されないか否かを判断する（ステップ５０、以下ステップ５６まで図１１参照）。このステップ５０において、同一組パッド８のパッド８１間で導通している組パッド８が複数あり、当該同一組パッド８のパッド８１間で導通している組パッド８間で導通が確認されない場合でないと判断した場合に、再び、ステップ５０に移行する。前記ステップ５０において、同一組パッド８のパッド８１間で導通している組パッド８が複数あり、当該同一組パッド８のパッド８１間で導通している組パッド８間で導通が確認されないと判断した場合に、波形の一単位が治療中でないか否かを判断する（ステップ５１）。このステップ５１において、波形の一単位が治療中であると判断した場合に、再び、ステップ５１に移行する。前記ステップ５１において、波形の一単位が治療中でないと判断した場合に、治療を停止する（ステップ５２）。治療を停止した後、治療が停止された治療中の工程を記録する（ステップ５３）。次に、同一組パッド８のパッド８１間で導通している組パッド８が複数あり、当該同一組パッド８のパッド８１間で導通している組パッド８間で導通が確認されないか否かを判断する（ステップ５４）。このステップ５４において、同一組パッド８のパッド８１間で導通している組パッド８が複数あり、当該同一組パッド８のパッド８１間で導通している組パッド８間で導通が確認されないと判断した場合に、再び、ステップ５４に移行する。前記ステップ５４において、同一組パッド８のパッド８１間で導通している組パッド８が複数あり、当該同一組パッド８のパッド８１間で導通している組パッド８間で導通が確認されない場合でないと判断した場合に、記録されている治療が停止された治療中の工程を読出し（ステップ５５）、再び、治療が停止された治療中の工程から治療を再開する（ステップ５６）。
【００４２】
このように本実施形態に係る低周波治療器によれば、前記組パッド８間で導通確認し、同一組パッド８のパッド８１間で導通している組パッド８が複数あり、当該同一組パッド８のパッド８１間で導通している組パッド８間で導通が確認されないとき、治療を停止し、治療を停止した後、前記導通が確認されなかった組パッド８間で導通が確認されたとき、治療を開始若しくは再開するので、治療中に同一組パッド８のパッド８１間で導通している組パッド８を全て１人の被施療者だけに貼着していないとき治療を停止し、治療が停止された治療中の工程を記録し、１人の被施療者のみが同一組パッド８のパッド８１間で導通している組パッド８を全てを使用されることとなったとき、前記治療が停止された治療中の工程を読み出し、治療が停止された治療中の工程から治療を開始することができ、複数の被施療者による使用等の不適切な使用をするとすぐに検出し治療を停止し、適切な使用となると治療を再開し、再び、始めから治療を受ける必要がない。
【００４３】
なお、本実施形態に係る低周波治療器においては、前記組パッド８間で導通確認し、同一組パッド８のパッド８１間で導通している組パッド８が複数あり、当該同一組パッド８のパッド８１間で導通している組パッド８間で導通が確認されないとき、治療を停止し、治療を停止した後、前記導通が確認されなかった組パッド８間で導通が確認されたとき、治療を開始若しくは再開するとしたが、前記同一組パッド８のパッド８１間で導通している組パッド８間で導通が確認されないとき、治療を停止し、治療を停止した後、前記導通が確認されなかった組パッド８間で導通が確認されたとき、治療を開始するとすることもでき、治療を停止して長時間経過している場合には、停止前までの治療の効果が弱まり、治療を最初から行った方が停止していた治療の効果を十分に得ることができる。
【００４４】
また、本実施形態に係る低周波治療器においては、前記組パッド８間で導通確認し、同一組パッド８のパッド８１間で導通している組パッド８が複数あり、当該同一組パッド８のパッド８１間で導通している組パッド８間で導通が確認されないとき、治療を停止し、治療を停止した後、前記導通が確認されなかった組パッド８間で導通が確認されたとき、治療を開始若しくは再開するとしたが、前記組パッド８間で導通確認し、同一組パッド８のパッド８１間で導通している組パッド８が複数あり、当該同一組パッド８のパッド８１間で導通している組パッド８間で導通が確認されないとき、治療を停止し、治療を停止した後、前記導通が確認されなかった組パッド８間で導通が確認されたとき、治療を停止したときから再び治療ができるようになるときまでの時間が所定期間より長いとき治療を開始し、治療を停止したときから再び治療ができるようになるときまでの時間が所定期間より短いとき治療を再開するという構成にすることもできる。例えば、図１１に示した本実施形態に係る低周波治療器の動作に、図１２に示すように、ステップ６０ないしステップ６３を追加した動作とすることで、３０分より治療の停止時間が長くなると治療を始めから開始し、３０分より治療の停止時間が短くなると治療を停止されたところから再開するという構成が実現でき、治療の停止時間により治療の開始か再開かを決定し、停止時間が長時間に渡るときはその後停止されたところから再開しても治療の効果が十分に得ることが出来ず始めから治療を開始することで治療の効果を十分に得ることができ、一方で、停止時間が短い時間であればその後停止されたところから再開しても治療の効果を十分に得ることができ、再び、始めから治療を開始することは逆に治療の効果が過剰となって宜しくなく、こういった過剰な効果を防止することもできる。ここで、３０分とう時間は、所定時間の具体例に過ぎない。
【００４５】
（本発明の第３の実施形態）
本発明の第３の実施形態に係る低周波治療器について図１３に基づいて説明する。図１３は本実施形態に係る低周波治療器の施療子貼着状態説明図である。
本実施形態に係る低周波治療器は、前記第１の実施形態と同様に、開閉可能で液晶ディスプレイ１１を配設された蓋部１と、スイッチを複数配設されたスイッチ部２と、ある程度の収納力を有する収納部３と、交流を直流に変換するＡＣアダプター４と、このＡＣアダプター４を収納可能なＡＣアダプター収納部５と、前記ＡＣアダプター４と接続し電源ジャックからの電力を供給する電源ケーブル７と、発熱を生じる発熱部８１ａと電気刺激を与える導子部８１ｂとを有する複数の施療子と、当該施療子の発熱部８１ａと導子部８１ｂとに治療用信号を生成する治療用信号生成部６１ｃを有する制御部６とを備え、前記同一組パッド８のパッド８１間で導通している組パッド８が複数あり、当該同一組パッド８のパッド８１間で導通している組パッド８間で導通が確認されないときに、前記組パッド８間で導通し合える複数の組パッド８からなる組パッド群が複数ある場合に、一の組パッド群のみの組パッド８で治療を行い、それ以外の組パッド８で治療を行わないことを異にする構成である。
【００４６】
以下、具体的な例を示して説明する。被施療者Ａ，被施療者Ｂ及び被施療者Ｃの３人被施療者がいて、組パッド８ｓ、組パッド８ｔ、組パッド８ｕ、組パッド８ｖ、組パッド８ｗ及び組パッド８ｘの６つの組パッド８があり、全ての組パッド８がジャック９に差し込まれて使用可能となっている。被施療者Ａが組パッド８ｓ及び組パッド８ｔを自己の身体に貼着し、被施療者Ｂが組パッド８ｕ及び組パッド８ｖを自己の身体に貼着し、被施療者Ｃが組パッド８ｗを自己の身体に貼着し、組パッド８ｘはどの被施療者も使用していないとする。前記第１の実施形態に係る低周波治療器の場合、ステップ１１、ステップ２３、ステップ３５若しくはステップ４４で複数の被施療者に使用されている（又は、組パッド８がショートしている）と判断し、治療を開始しない。しかし、本実施形態においては、組パッド８ｓと組パッド８ｔとが導通し合え、組パッド８ｕと組パッド８ｖとが導通し合え、組パッド８ｓと組パッド８ｔとからなる施療子群、組パッド８ｕと組パッド８ｖとからなる施療子群となり、例えば、組パッド８ｓと組パッド８ｔとからなる施療子群の組パッド８ｓと組パッド８ｔでのみ治療を行うことができる。
【００４７】
また、他の具体例としては、被施療者Ａのみがいて、組パッド８ｓ、組パッド８ｔ、組パッド８ｕ、組パッド８ｖの４つの組パッド８があり、全ての組パッド８がジャック９に差し込まれて使用可能となっている。被施療者Ａが組パッド８ｓ及び組パッド８ｔを自己の身体に貼着し、被施療者Ａがカウンターキッチンのアルミニウム製の机の上で使用していて組パッド８ｕ及び組パッド８ｖがそのアルミニウム製の机の上に貼着されているとする。前記第１の実施形態に係る低周波治療器の場合、ステップ１１、ステップ２３、ステップ３５若しくはステップ４４で複数の被施療者に使用されている（又は、組パッド８がショートしている）と判断し、治療を開始しない。しかし、本実施形態においては、組パッド８ｓと組パッド８ｔとが導通し合え、組パッド８ｕと組パッド８ｖとが導通し合え、組パッド８ｓと組パッド８ｔとからなる施療子群、組パッド８ｕと組パッド８ｖとからなる施療子群となり、例えば、組パッド８ｓと組パッド８ｔとからなる施療子群の組パッド８ｓと組パッド８ｔでのみ治療を行うことができる。ここで、前記第１の実施形態で説明した方法で、すなわち、電流の大きさ及び電圧レベルでショートしている組パッド８を特定し、このショートしている組パッド８を含む施療子群でない施療子群で治療を行うこととすることもできる。また、ショートしている組パッド８が判明次第、使用者にその旨伝える構成とするのが好ましい。
【００４８】
このように本実施形態に係る低周波治療器においては、前記同一組パッド８のパッド８１間で導通している組パッド８が複数あり、当該同一組パッド８のパッド８１間で導通している組パッド８間で導通が確認されないときに、前記組パッド８間で導通し合える複数の組パッド８からなる組パッド群が複数ある場合に、一の組パッド群のみの組パッド８で治療を行い、それ以外の組パッド８で治療を行わないので、前記同一組パッド８のパッド８１間で導通している組パッド８間で導通が確認されないときに全ての組パッド８で治療を行わないとすることもできるが、１人の被施療者で使用している組パッド８であるとの判断できれば、ある１人の被施療者で使用している組パッド８のみで治療を行い、その他の組パッド８で治療を行わないとすることができ、安全の観点から少なくとも１人の被施療者に治療を行うということを担保しつつ治療を提供することができる。また、ショートしていても安全にショートしていない組パッド８を含む施療子群で治療ができ、利用性に優れる。ただし、ショートしている場合には、全ての組パッド８で治療を行わないとし、ショートしている旨を即座に伝えることができるメリットはある。
【００４９】
なお、本実施形態に係る低周波治療器においては、前記同一組パッド８のパッド８１間で導通している組パッド８が複数あり、当該同一組パッド８のパッド８１間で導通している組パッド８間で導通が確認されないときに、前記組パッド８間で導通し合える複数の組パッド８からなる組パッド群が複数ある場合に、一の組パッド群のみの組パッド８で治療を行い、それ以外の組パッド８で治療を行わないとし、どの組パッド８で治療を行うかを明確にしていないが、例えば、ジャック９に優先順位を設けており、使用しているパッド８１の中で一番優先順位の高いパッド８１を含む組パッド群で治療を行うという構成にすることもできる。ただし、前記したような組パッド８がショートしている組パッド群では治療を行わないようにすることが望ましい。
【００５０】
また、本実施形態に係る低周波治療器においては、前記同一組パッド８のパッド８１間で導通している組パッド８が複数あり、当該同一組パッド８のパッド８１間で導通している組パッド８間で導通が確認されないときに、前記組パッド８間で導通し合える複数の組パッド８からなる組パッド群が複数ある場合に、一の組パッド群のみの組パッド８で治療を行い、それ以外の組パッド８で治療を行わないとし、どの組パッド８で治療を行うかを明確にしていないが、同一組パッド８のパッド８１間で最先に導通した組パッド８を含む組パッド群の組パッド８で治療を行うという構成にすることもできる。即ち、被施療者の患部に最先に貼着された組パッド８を含む組パッド群の組パッド８で治療を行うということである。ただし、前記したような組パッド８がショートしている組パッド群では治療を行わないようにすることが望ましい。
【００５１】
また、本実施形態に係る低周波治療器においては、前記同一組パッド８のパッド８１間で導通している組パッド８が複数あり、当該同一組パッド８のパッド８１間で導通している組パッド８間で導通が確認されないときに、前記組パッド８間で導通し合える複数の組パッド８からなる組パッド群が複数ある場合に、一の組パッド群のみの組パッド８で治療を行い、それ以外の組パッド８で治療を行わないが、前記同一組パッド８のパッド８１間で導通している組パッド８間で導通が確認されないときに、１つの組パッド８のみで治療を行い、それ以外の組パッド８で治療を行わないとすることもでき、前述の図１３の説明を引用すれば、被施療者Ｃが組パッド８ｗを自己の身体に貼着しているが、この被施療者Ｃの組パッド８ｖのみで治療を行うことができる。また、被施療者Ｃの組パッド８ｖだけでなく、どの組パッド８においても１つの組パッド８だけであれば、使用できる被施療者は１人となり、同様に、１人のみの被施療者に対する治療ということを担保することができる。ここで、治療を行う１つの組パッド８をどのように選択するかを明示していないが、例えば、ジャック９に優先順位を設けており、使用しているパッド８１の中で一番優先順位の高いパッド８１を含む組パッドで治療を行うという構成にすることもでき、又は、同一組パッド８のパッド８１間で最先に導通した組パッド８を含む組パッド群の組パッド８で治療を行うという構成にすることもできる。ただし、前記したような組パッド８がショートしている組パッドでは治療を行わないようにすることが望ましい。
【００５２】
【発明の効果】
以上のように本発明においては、前記組パッド間で導通確認し、同一組パッドのパッド間で導通している組パッドが複数あり、当該同一組パッドのパッド間で導通している組パッド間で導通が確認されないとき、治療を行わないので、すなわち、複数の組パッドを有し同一組パッドのパッド間で導通している組パッドが複数ありということは患部に貼着されている組パッドが複数あるということであり、さらに、これらの同一組パッドのパッド間で導通している組パッド間で導通が確認されないということは全ての組パッドが１人の被施療者に貼着されていないということであり、複数の被施療者が使用している可能性があるということが判断でき、この場合に動作しないことにより意図しない治療電流が流れることを防止し、安全性を確保することができるという効果を奏する。
【００５３】
また、本発明においては、前記組パッド間で導通確認し、同一組パッドのパッド間で導通している組パッドが複数あり、当該同一組パッドのパッド間で導通している組パッド間で導通が確認されないとき、治療を停止し、治療を停止した後、前記導通が確認されなかった組パッド間で導通が確認されたとき、治療を開始若しくは再開しているので、治療中に同一組パッドのパッド間で導通している組パッドを全て１人の被施療者だけに貼着していないとき治療を停止し、治療が停止された治療中の工程を記録し、１人の被施療者のみが同一組パッドのパッド間で導通している組パッドを全てを使用されることとなったとき、前記治療が停止された治療中の工程を読み出し、治療が停止された治療中の工程から治療を開始することができ、複数の被施療者による使用等の不適切な使用をするとすぐに検出し治療を停止し、適切な使用となると治療を再開し、再び、始めから治療を受ける必要がないという効果を有する。
【００５４】
また、本発明においては、前記同一組パッドのパッド間で導通している組パッド間で導通が確認されないとき、治療を停止し、治療を停止した後、前記導通が確認されなかった組パッド間で導通が確認されたとき、治療を停止したときから再び治療ができるようになるときまでの時間が所定期間より長いとき治療を開始し、治療を停止したときから再び治療ができるようになるときまでの時間が所定期間より短いとき治療を再開するので、所定時間より治療の停止時間が長くなると治療を始めから開始し、所定時間より治療の停止時間が短くなると治療を停止されたところから再開するという構成が実現でき、治療の停止時間により治療の開始か再開かを決定し、停止時間が長時間に渡るときはその後停止されたところから再開しても治療の効果が十分に得ることが出来ず始めから治療を開始することで治療の効果を十分に得ることができ、一方で、停止時間が短い時間であればその後停止されたところから再開しても治療の効果を十分に得ることができ、再び、始めから治療を開始することは逆に治療の効果が過剰となって宜しくなく、こういった過剰な効果を防止することもできるという効果を有する。
【００５５】
また、本発明においては、前記同一組パッドのパッド間で導通している組パッドが複数あり、当該同一組パッドのパッド間で導通している組パッド間で導通が確認されないとき、表示及び／又は音により複数の被施療者の使用だと判断したことを通知し、又は、１人のみの被施療者の使用をするべきだと通知しているので、同一組パッドのパッド間で導通している組パッド間で導通が確認されないということは全ての組パッドが１人の被施療者に貼着されていないということであり、このとき、被施療者はそのような状態での使用をすることが適切でないということを認識していない場合があり、表示及び／又は音により複数被施療者の使用だと判断したことを通知する、又は、１人のみの被施療者の使用をするべきだと通知することで、以降、複数の被施療者により使用することがなくなるという効果を有する。
【００５６】
また、本発明においては、前記表示及び／又は音により複数被施療者の使用だと判断したことを通知し、又は、１人のみの被施療者の使用をするべきだと通知するした後、所定期間を置いて治療を行わないので、前記同一組パッドのパッド間で導通している組パッドが複数あり、当該同一組パッドのパッド間で導通している組パッド間で導通が確認されないとき、すなわち、複数の被施療者が使用していると判断すると同時に、治療を行わなくなるのでなく、表示及び／又は音により複数被施療者の使用だと判断したことを通知し、又は、１人のみの被施療者の使用をするべきだと通知し、使用者は複数で使用することを止め、単独の被施療者の使用とするための猶予を与え、前記所定期間経過までに単独で使用することで治療を行わなくすることがないようにすることができ、特に、治療中の場合には治療が停止することなく、適切な治療を連続して受けることができるという効果を有する。
【００５７】
また、本発明においては、前記同一組パッドのパッド間で導通している組パッドが複数あり、当該同一組パッドのパッド間で導通している組パッド間で導通が確認されないときに、前記組パッド間で導通し合える複数の組パッドからなる組パッド群が複数ある場合に、一の組パッド群のみの組パッドで治療を行い、それ以外の組パッドで治療を行わないので、前記同一組パッドのパッド間で導通している組パッド間で導通が確認されないときに全ての組パッドで治療を行わないとすることもできるが、１人の被施療者で使用している組パッドであるとの判断できれば、ある１人の被施療者で使用している組パッドのみで治療を行い、その他の組パッドで治療を行わないとすることができ、安全の観点から少なくとも１人の被施療者に治療を行うということを担保しつつ治療を提供することができるという効果を有する。
【００５８】
また、本発明においては、前記同一組パッドのパッド間で導通している組パッド間で導通が確認されないときに、１つの組パッドのみで治療を行い、それ以外の組パッドで治療を行わないので、１つの組パッドのみで治療を行う場合に複数の被施療者が使用することはできず、ある被施療者の単独の使用となり、安全性を確保することができるという効果を有する。
【００５９】
また、本発明においては、前記治療を行う組パッドが、同一組パッドのパッド間で最先に導通した組パッドであるので、つまり、前記同一組パッドのパッド間で導通している組パッドが複数あり、当該同一組パッドのパッド間で導通している組パッド間で導通が確認されないとき、治療を行う組パッドが同一組パッドのパッド間で最先に導通した組パッドであり、又は、治療を行う一の組パッド群の組パッドの一つが最先に導通した組パッドであり、使用者がいちいち治療する組パッド及び組パッド群を指定することなく使用者に手間をかけることがなく、また、ランダムに治療する組パッド及び組パッド群を決定されることなく使用者がどの組パッド又は組パッド群が治療されるのかを検討することができないという状態を回避でき、円滑且つ一定の秩序の元に治療を行うことができるという効果を有する。
【図面の簡単な説明】
【図１】本発明の第１の実施形態に係る低周波治療器の蓋部が閉じた状態の斜視図である。
【図２】本発明の第１の実施形態に係る低周波治療器の蓋部が開いた状態の斜視図である。
【図３】本発明の第１の実施形態に係る低周波治療器の背面斜視図である。
【図４】本発明の第１の実施形態に係る低周波治療器のスイッチ部の正面図である。
【図５】本発明の第１の実施形態に係る低周波治療器の制御部のブロック構成図である。
【図６】本発明の第１の実施形態に係る低周波治療器の施療子貼着状態説明図である。
【図７】本発明の第１の実施形態に係る低周波治療器の動作フローチャートである。
【図８】本発明の第１の実施形態に係る低周波治療器の動作フローチャートである。
【図９】本発明の第１の実施形態に係る低周波治療器の動作フローチャートである。
【図１０】本発明の第１の実施形態に係る低周波治療器の動作フローチャートである。
【図１１】本発明の第２の実施形態に係る低周波治療器の動作フローチャートである。
【図１２】本発明の第２の実施形態に係る低周波治療器の動作フローチャートである。
【図１３】本発明の第３の実施形態に係る低周波治療器の施療子貼着状態説明図である。
【図１４】従来の低周波治療器の回路図である。
【符号の説明】
１  蓋部
１１  液晶ディスプレイ
２  スイッチ部
２ａ  「電源入／切」ボタン
２ｂ  「肩」ボタン
２ｃ  「背」ボタン
２ｄ  「腰」ボタン
２ｅ  「腕・脚」ボタン
２ｆ  「関節」ボタン
２ｇ  「マイメモリー」ボタン
２ｈ  「機能」ボタン
２ｉ  「開始／停止」ボタン
２ｊ  「一時停止」ボタン
２ｋ  「ロック」ボタン
２ｌ  「１５分／３０分」ボタン
２ｍ、２ｍＡ、２ｍＢ  「強さ」ダイヤル
２ｎ  「極性切替」ボタン
２ｏ  「連続／断続」ボタン
２ｐ  「メモリー」ボタン
２ｑ  「速さ」ボタン
２ｒ  「温熱治療」ボタン
２Ｒ  温熱ＬＥＤランプ
２ｓ  「ヒータ」ボタン
２Ｓ  ヒータＬＥＤランプ
２ｔ  「予熱」ボタン
２Ｔ  予熱ＬＥＤランプ
２ｕ  「入／切」ボタン
２ｖ  「強／弱」ボタン
２ｗ  「１５分／３０分」ボタン
３  収納部
３１  マグネット
４  ＡＣアダプター
４１  ＡＣアダプタージャック
４２  直流ジャック
４３  供給口ジャック
４４  直流ケーブル
５  ＡＣアダプター収納部
５１  ツマミ
５２  スライダー
５３  蓋
５４  仕切り
５５  ツマミ穴
６  制御部
６１  回路基盤
６１ａ  マイコン
６１ｂ  ＲＯＭ
６１ｃ  治療用信号生成部
６１ｃ１          発熱部信号生成部
６１ｃ２  導子部信号生成部
６１ｄ  電気回路
６２  スイッチ用基盤
７  電源ケーブル
７１  電源プラグ
７２  ケーブル
７３  ＡＣアダプタープラグ
８  組パッド
８１  パッド
８１ａ  発熱部
８１ｂ  導子部
８２  治療用信号コード
８３  パッドプラグ
８４  替パッド
８５  コードリール
８５ａ  貼着部
８５ｂ  リール部
９  ジャック
１０  接続ＬＥＤランプ
１１  温熱治療ＬＥＤランプ
【図１】
2005065745.tif 000003
【図２】
2005065745.tif 000004
【図３】
2005065745.tif 000005
【図４】
2005065745.tif 000006
【図５】
2005065745.tif 000007
【図６】
2005065745.tif 000008
【図７】
2005065745.tif 000009
【図８】
2005065745.tif 000010
【図９】
2005065745.tif 000011
【図１０】
2005065745.tif 000012
【図１１】
2005065745.tif 000013
【図１２】
2005065745.tif 000014
【図１３】
2005065745.tif 000015
【図１４】
2005065745.tif 000016